(57)【要約】【課題】セル内に設けられた流路と外部との密閉性の向上。【解決手段】本発明によるセル１は、第１表面６を有する第１セパレータ３と、第１表面６に対向する第２表面１１を有する第２セパレータ４と、第１セパレータ３と第２セパレータ４との間に介設される固体高分子膜２と、固体高分子膜２と第２セパレータ４との間に介設されるシートパッキン２１とを具備し、第２表面１１は、シートパッキン２１に接合される固定用表面１４と、シートパッキン２１に接合されない溝用表面１３とから形成され、固定用表面１４には、突起１７が設けられている。【選択図】図１
2004035945.tif 000002
【特許請求の範囲】
【請求項１】
第１表面を有する第１セパレータと、
前記第１表面に対向する第２表面を有する第２セパレータと、
前記第１セパレータと前記第２セパレータとの間に介設される固体高分子膜と、
前記第２表面の外周域に設けられ、前記固体高分子膜と前記第２セパレータとの間に挟まれるシートパッキンとを具備し、
前記外周域には、突起が設けられ、
前記突起は、前記シートパッキンと前記固体高分子膜とを介して前記第１表面に接合される
セル。
【請求項２】
請求項１において、
前記シートパッキンは、前記固体高分子膜と前記突起とに挟まれて弾性変形する
セル。
【請求項３】
請求項２において、
前記外周域は、前記第２表面の中央域より前記第２セパレータの内部寄りに形成され、
前記シートパッキンの厚さは、前記中央域と前記外周域との段差以上である
セル。
【請求項４】
請求項１〜請求項３のいずれかにおいて、
前記中央域は、前記外周域に囲まれている
セル。
【請求項５】
請求項１〜請求項４のいずれかにおいて、
前記第１表面には、第１流体が通過する第１溝が設けられ、
前記第２表面には、第２流体が通過する第２溝が設けられる
セル。
【請求項６】
請求項５に記載のセル
を具備する電気分解槽。
【請求項７】
請求項６において、
前記第１流体と前記第２流体は、水である
電気分解槽。
【請求項８】
請求項５に記載のセルを具備し、
前記固体高分子膜の１つの面には、燃料極が設けられ、
前記固体高分子膜の他の１つの面には、酸化剤極が設けられ、
前記第１流体と前記第２流体とが電気化学反応を遂行する
燃料電池。
【発明の詳細な説明】
【０００１】
【発明の属する技術分野】
本発明は、セル、電気分解槽及び燃料電池に関し、特に、電気化学反応を行う物質を密閉して収容するセル、電気分解槽及び燃料電池に関する。
【０００２】
【従来の技術】
連続して供給される流体物質を密閉して収容し電気化学反応を遂行させるセルが広く利用されている。このようなセルは、燃料電池に適用され、電気分解反応を遂行させる電気分解槽に適用されている。その電気分解槽としては、水を電気分解して水素と酸素とを生成する固体高分子形水電解装置が例示される。このようなセルでは、供給される流体物質が外部に漏洩しない構造が望まれている。
【０００３】
図５は、公知の固体高分子形水電解装置を示している。その固体高分子形水電解装置の単位セル１０１は、シート状の固体高分子膜１０２が第１セパレータ１０３と第２セパレータ１０４とに挟まれている。固体高分子膜１０２と第２セパレータ１０４との間には、シートパッキン１２１が挟まれている。
【０００４】
第１セパレータ１０３は、図６に示されているように、第２セパレータ１０４に対向している第１表面１０６を有している。第１表面１０６は、第１溝１０７が設けられている溝用表面１０８と、固体高分子膜１０２を固定するための固定用表面１０９とから形成されている。固定用表面１０９は、溝用表面１０８と同一の平面に配置されている。固定用表面１０９は第１表面１０６の外周域に配置され、溝用表面１０８は固定用表面１０９に囲まれた領域に配置されている。
【０００５】
第２セパレータ１０４は、第１セパレータ１０３に対向している第２表面１１１を有している。第２表面１１１は、第１表面１０６と合同である。第２表面１１１は、第２溝１１２が設けられている溝用表面１１３と、固体高分子膜１０２を固定するための固定用表面１１４とから形成されている。固定用表面１１４は第２表面１１１の外周域に配置され、溝用表面１１３は固定用表面１１４に囲まれた領域に配置されている。固定用表面１１４は、溝用表面１１３と同一の平面に配置されている。
【０００６】
セパレータの外周枠１１４と固体高分子膜１０２との間には、シートパッキン１２１が設けられている。シートパッキン１２１は、ゴムに例示される弾性体から形成されている。シートパッキン１２１は、厚さが均一であるシートである。シートパッキン１２１の形状はセパレータの外周枠１１４と相似であり、シートパッキン１２１の大きさはセパレータの外周枠１１４と同一またはやや小さい。シートパッキン１２１は、固体高分子膜１０２に接する膜側表面１２２と、第２セパレータに接するセパレータ側表面１２３とを有している。
【０００７】
固体高分子膜１０２は、単位セル１０１が組み立てられたときに、第１セパレータ１０３の溝用表面１０８と第２セパレータ１０４の溝用表面１１３との間に配置される溝部分１２６と、第１セパレータ１０３とシートパッキン１２１とに挟まれる固定部分１２７とから形成されている。
【０００８】
単位セル１０１は、肉厚方向Ａに複数が重ねられて、セルの全体を形成している。単位セル１０１が組み立てられたときに、シートパッキン１２１は、固体高分子膜１０２と第２セパレータ１０４とに挟まれて弾性変形し、第１溝１０７と外部とを密閉し、第２溝１１２と外部とを密閉している。この密閉により、セパレータの縁から水が漏洩することが防止される。
【０００９】
このようなセルは、第１溝１０７と第２溝１１２とに水が流され、固体高分子膜１０２の両側に電圧が印加されることにより、第１溝１０７と第２溝１１２とのうちの一方に酸素が生成され、他方に水素が生成される。
【００１０】
製造偏差によりシートパッキン１２１は厚さが均一ではなく、固定用表面１０９またはセパレータの外周枠１１４は完全な平面ではないことより、このような固体高分子形水電解装置であっても、水が漏洩する。さらに漏洩が発生しない固体高分子形水電解装置が望まれている。
【００１１】
第１溝１０７と第２溝１１２に流される水の圧力は一定ではなく、常に変動する。この変動により、固体高分子膜１０２の溝部分１２６と固定部分１２７との間には、剪断応力が加わり、寿命を短くする。固体高分子膜１０２のせん断を防止する固体高分子形水電解装置が望まれている。
【００１２】
図７は、固体高分子形燃料電池に適用されるセルを示している。その固体高分子形燃料電池は、燃料ガスと酸化剤ガスとを電気化学的に反応させて電力を生成する。その単位セル１５１は、シート状の固体高分子膜１５２が燃料極１５５と酸化剤極１６０とに挟まれている。燃料極１５５と酸化剤極１６０は触媒電極であり、その触媒電極としては、例えば白金が使用される。固体高分子膜１５２は、燃料極１５５と酸化剤極１６０とのさらに外側から第１セパレータ１５３と第２セパレータ１５４とに挟まれている。固体高分子膜１５２と第２セパレータ１５４との間には、シートパッキン１２１が挟まれている。
【００１３】
第１セパレータ１５３は、図８に示されているように、第２セパレータ１５４に対向している第１表面１５６を有している。第１表面１５６は、第１溝１５７が設けられている溝用表面１５８と、固体高分子膜１５２を固定するための固定用表面１５９とから形成されている。固定用表面１５９は、溝用表面１５８と同一の平面に配置されている。固定用表面１５９は第１表面１５６の外周域に配置され、溝用表面１５８は固定用表面１５９に囲まれた領域に配置されている。
【００１４】
第２セパレータ１５４は、第１セパレータ１５３に対向している第２表面１６１を有している。第２表面１６１は、第１表面１５６と概ね合同である。第２表面１６１は、第２溝１６２が設けられている溝用表面１６３と、固体高分子膜１５２を固定するための固定用表面１６４とから形成されている。固定用表面１６４は第２表面１６１の外周域に配置され、溝用表面１６３は固定用表面１６４に囲まれた領域に配置されている。固定用表面１６４は、溝用表面１６３と同一の平面に配置されている。
【００１５】
固定用表面１６４と固体高分子膜１５２との間には、シートパッキン１７１が設けられている。シートパッキン１７１は、ゴムに例示される弾性体から形成されている。シートパッキン１７１は、厚さが均一であるシートである。シートパッキン１７１の形状は固定用表面１６４と相似であり、シートパッキン１７１の大きさは固定用表面１６４と同一またはやや小さい。シートパッキン１７１は、固体高分子膜１５２に接する膜側表面１７２と、第２セパレータに接するセパレータ側表面１７３とを有している。
【００１６】
固体高分子膜１５２は、単位セル１５１が組み立てられたときに、燃料極１５５と酸化剤極１６０とに接合される電極部分１７６、第１セパレータ１５３とシートパッキン１７１とに挟まれる固定部分１７７および電極部分１７６と固定部分１７７との間に配置される部分１７８から形成されている。
【００１７】
単位セル１５１は、肉厚方向Ａに複数が重ねられてスタックを形成している。すなわち、隣り合う単位セル１５１の第１セパレータ１５３と第２セパレータ１５４とは、一体である。単位セル１５１が組み立てられたときに、シートパッキン１７１は、固体高分子膜１５２と第２セパレータ１５４とに挟まれて弾性変形する。
【００１８】
本発明によるセルは、第１溝１５７に燃料ガスが流され、第２溝１６２に酸化剤ガスが流されされることにより、燃料極１５５と酸化剤極１６０との間に起電力が生成される。このとき、第１溝１５７と外部とが密閉され、第２溝１６２と外部とが密閉されていることにより、セパレータの縁から水、燃料ガスまたは酸化剤ガスが漏洩することが防止される。
【００１９】
製造偏差によりシートパッキン１７１は厚さが均一ではなく、固定用表面１５９または固定用表面１６４は完全な平面ではないことより、このような燃料電池であっても、水、燃料ガスまたは酸化剤ガスが漏洩する。また、スタック内には、ガス圧が発生する為、これによる水、燃料ガスまたは酸化剤ガスの漏洩も発生する。さらに漏洩が発生しない燃料電池が望まれている。
【００２０】
セルに供給される燃料ガスまたは酸化剤ガスの圧力は一定ではなく、常に変動する。この変動により、固体高分子膜１５２の溝部分１７６と固定部分１７７との間には、剪断応力が加わり、固体高分子膜１５２の寿命を短くする。固体高分子膜１５２のせん断を防止する燃料電池が望まれている。
【００２１】
【発明が解決しようとする課題】
本発明の課題は、セル内に設けられた流路と外部との密閉性を向上させるセル、電気分解槽及び燃料電池を提供することにある。
本発明の他の課題は、セル内に設けられた固体高分子膜のせん断を防止するセル、電気分解槽及び燃料電池を提供することにある。
【００２２】
【課題を解決するための手段】
以下に、［発明の実施の形態］で使用される番号・符号を括弧付きで用いて、課題を解決するための手段を説明する。これらの番号・符号は、［特許請求の範囲］の記載と［発明の実施の形態］の記載との対応関係を明らかにするために付加されたものであるが、［特許請求の範囲］に記載されている発明の技術的範囲の解釈に用いてはならない。
【００２３】
本発明によるセル（１，５１）は、第１表面（６，５６）を有する第１セパレータ（３，５３）と、第１表面（６，５６）に対向する第２表面（１１，６１）を有する第２セパレータ（４，５４）と、第１セパレータ（３，５３）と第２セパレータ（４，５４）との間に介設される固体高分子膜（２，５２）と、第２表面（１１，６１）の外周域（１４，７４）に設けられ固体高分子膜（２，５２）と第２セパレータ（４，５４）との間に挟まれるシートパッキン（２１，７１）とを具備している。外周域（１４，７４）には、突起（１７，６７）が設けられている。突起（１７，６７）は、シートパッキン（２１，７１）と固体高分子膜（２，５２）とを介して第１表面（６，５６）に接合される。
【００２４】
シートパッキン（２１，７１）が突起（１７，６７）で押さえられることは、突起がない平面で押さえられることよりシートパッキン（２１，７１）に加わる圧力が大きい。この結果、シートパッキン（２１，７１）と第２セパレータ（４，５４）とは強固に接合され、シートパッキン（２１，７１）と第２セパレータ（４，５４）との間から流体が漏洩することが防止される。
【００２５】
シートパッキン（２１，７１）は、固体高分子膜（２，５２）と突起（１７，６７）とに挟まれて弾性変形する。セル（１，５１）が組み立てられたときに、シートパッキン（２１，７１）の第２セパレータ（３，５３）側の表面（２３，７３）の突起（１７，６７）に接する領域には窪みが生じる。この窪みにより、シートパッキン（２１，７１）の突起（１７，６７）の近傍の部分（２４，７４）は大きな応力が加わり、固体高分子膜（２，５２）は第１セパレータ（３，５３）の突起（１７，６７）に対向する部分（１８，６８）とシートパッキン（２１，７１）の部分（２４，７４）とに大きな圧力で挟まれる。
【００２６】
外周域（１４，７４）は、中央域（１３，６３）より第２セパレータ（４，５４）の内部寄りに形成され、シートパッキン（２１，７１）の厚さは、中央域（１３，６３）と外周域（１４，７４）との段差（１５，６５）より厚いまたは同じである。シートパッキン（２１）の厚さが段差（１５）と同じであるとき、固体高分子膜（２，５２）は、第１セパレータ（３）のシートパッキン（２１）に接合されない表面（８）と、第２セパレータ（４）の中央域（１３）とに挟まれて固定される。このような固定は、固体高分子膜（２）がセル（１）の使用中にせん断することを防止する。
【００２７】
中央域（１３，６３）は、外周域（１４，７４）に囲まれている。中央域（１３，６３）の近傍に存在する流体は、外周域（１４，７４）に配置されているシートパッキン（２１，７１）により漏洩を防止されている。すなわち、シートパッキン（２１，７１）は、リング状であることが好ましい。
【００２８】
第１セパレータ（３，５３）の第１表面（６，５６）には第１流体が通過する第１溝（７，５７）が設けられ、第２セパレータ（４，５４）の第２表面（１１，６１）には、第２流体が通過する第２溝（１２，６２）が設けられている。第１溝（１２，６２）と第２溝（７，５７）は、それぞれに供給される第１流体と第２流体とに電気化学反応を遂行させる。その電気化学反応としては、起電力を生成する反応または電気分解が例示される。
【００２９】
本発明による電気分解槽は、本発明によるセル（１）を具備していることが好ましい。第１流体と第２流体は、水、特に蒸留水であることが好ましい。
【００３０】
本発明による燃料電池は、本発明によるセル（１）を具備している。固体高分子膜（５２）の１つの面には、燃料極（５５）が設けられ、固体高分子膜（５２）の他の１つの面には、酸化剤極（６０）が設けられている。第１流体と第２流体とが電気化学反応を遂行する。この電気化学的反応により、本発明による燃料電池は、電力を生成する。
【００３１】
【発明の実施の形態】
図面を参照して、本発明によるセルの実施の形態を説明する。その単位セル１は、図１に示されているように、シート状の固体高分子膜２が第１セパレータ３と第２セパレータ４とに挟まれている。このセルは、電気分解反応を遂行させる電気分解槽に適用され、その電気分解槽としては、水を電気分解して水素と酸素とを生成する固体高分子形水電解装置が例示される。第１セパレータ３は、第２セパレータ４に対向している第１表面６を有している。第１表面６は、第１溝７が設けられている溝用表面８と、固体高分子膜２を固定するための固定用表面９とから形成されている。固定用表面９は、溝用表面８と同一の平面に配置されている。固定用表面９は第１表面６の外周域に配置され、溝用表面８は固定用表面９に囲まれた領域に配置されている。
【００３２】
第２セパレータ４は、第１セパレータ３に対向している第２表面１１を有している。第２表面１１は、第１表面６と概ね合同である。第２表面１１は、第２溝１２が設けられている溝用表面１３と、固体高分子膜２を固定するための固定用表面１４とから形成されている。固定用表面１４は第２表面１１の外周域に配置され、溝用表面１３は固定用表面１４に囲まれた領域に配置されている。固定用表面１４は、溝用表面１３より第２セパレータ４の肉厚方向Ａに段差１５だけ内部寄りに形成されている。溝用表面１３と固定用表面１４との間には、段差面１６が形成されている。固定用表面１４には、突起１７が設けられている。突起１７は固定用表面１４に連なって曲線を描いている。突起１７は概ね同一の高さで連なり、その高さは段差１５より低い。第１セパレータ３の固定用表面９は、突起１７に対向する突起対向部分１８を有している。
【００３３】
固定用表面１４と固体高分子膜２との間には、シートパッキン２１が設けられている。シートパッキン２１は、ゴムに例示される弾性体から形成されている。シートパッキン２１は、厚さが均一であるシートであり、その厚さは、段差１５と同一または段差１５より厚い。シートパッキン２１の形状は、固定用表面１４と相似であり、シートパッキン２１の大きさが固定用表面１４と同一またはやや小さい。シートパッキン２１は、固体高分子膜２に接する膜側表面２２と、第２セパレータに接するセパレータ側表面２３とを有し、単位セル１が組み立てられたときに、突起１７の近傍に配置される突起近傍部分２４とそれ以外の平面部分２５とから形成されている。
【００３４】
固体高分子膜２は、単位セル１が組み立てられたときに、第１セパレータ３の溝用表面８と第２セパレータ４の溝用表面１３との間に配置される溝部分２６、第１セパレータ３とシートパッキン２１とに挟まれる固定部分２７および第１セパレータ３の突起対向部分１８とシートパッキン２１の突起近傍部分２４に挟まれる突起固定部分２８から形成されている。
【００３５】
単位セル１は、図２に示されているように、肉厚方向Ａに複数が重ねられて、本発明によるセルを形成している。単位セル１が組み立てられたときに、シートパッキン２１は、固体高分子膜２と第２セパレータ４とに挟まれて弾性変形し、シートパッキン２１の膜側表面２２は第２セパレータ４の溝用表面１３と概ね同一の表面を形成する。同一の平面を形成することにより、固体高分子膜２の溝部分２６は第１セパレータ３の溝用表面８と第２セパレータ４の溝用表面１３とに挟まれている。
【００３６】
単位セル１が組み立てられたときに、さらに、シートパッキン２１の突起１７に接する領域には窪みが生じる。この窪みにより、突起近傍部分２４は大きな応力が加わり、固体高分子膜２は第１セパレータ３の突起対向部分１８とシートパッキン２１の突起近傍部分２４とに大きな圧力で挟まれる。このように固体高分子膜２が挟まれることは、第１溝７と外部とが強固に密閉され、第２溝１２と外部とが強固に密閉され、かつ、固体高分子膜２が強固に固定される効果を奏する。
【００３７】
第１溝７と外部とが強固に密閉され、第２溝１２と外部とが強固に密閉されることは、シートパッキン２１に置換してＯリングを使用することにより、突起１７を使用しなくても達成することができる。Ｏリングは、全体形状がリング状で円形の断面を有する弾性体である。しかしながら、ゴム製のＯリングは、大きなもの（φ４０〜６０ｃｍ）が市販されていないので、仮に製造してもコストが高い。本発明によるセルは、Ｏリングを用いることなく、セル内部の流体の流路と外部とをより強固に密閉することができる。
【００３８】
本発明によるセルは、第１溝７と第２溝１２とに水が流され、固体高分子膜２の両側に電圧が印加されることにより、第１溝７と第２溝１２とのうちの一方に酸素を生成し、他方に水素を生成する。このとき、第１溝７と外部とが密閉され、第２溝１２と外部とが密閉されていることにより、セパレータの縁から水が漏洩することが防止される。
【００３９】
本発明によるセルの実施の他の形態は、燃料ガスと酸化剤ガスとを電気化学的に反応させて電力を生成する固体高分子形燃料電池に適用される。その単位セル５１は、図３に示されているように、シート状の固体高分子膜５２が燃料極５５と酸化剤極６０とに挟まれている。燃料極５５と酸化剤極６０は触媒電極であり、その触媒電極としては、例えば白金が使用される。シート状の固体高分子膜５２は、燃料極５５と酸化剤極６０とのさらに外側から第１セパレータ５３と第２セパレータ５４とに挟まれている。第１セパレータ５３は、第２セパレータ５４に対向している第１表面５６を有している。第１表面５６は、第１溝５７が設けられている溝用表面５８と、固体高分子膜５２を固定するための固定用表面５９とから形成されている。固定用表面５９は、溝用表面５８と同一の平面に配置されている。固定用表面５９は第１表面５６の外周域に配置され、溝用表面５８は固定用表面５９に囲まれた領域に配置されている。
【００４０】
第２セパレータ５４は、第１セパレータ５３に対向している第２表面６１を有している。第２表面６１は、第１表面５６と概ね合同である。第２表面６１は、第２溝６２が設けられている溝用表面６３と、固体高分子膜５２を固定するための固定用表面６４とから形成されている。固定用表面６４は第２表面６１の外周域に配置され、溝用表面６３は固定用表面６４に囲まれた領域に配置されている。固定用表面６４は、溝用表面６３より第２セパレータ５４の肉厚方向Ａに段差６５だけ内部寄りに形成されている。溝用表面６３と固定用表面６４との間には、段差面１６が形成されている。固定用表面６４には、突起６７が設けられている。突起６７は固定用表面６４に連なって曲線を描いている。突起６７は概ね同一の高さで連なり、その高さは段差６５より低い。第１セパレータ５３の固定用表面５９は、突起６７に対向する突起対向部分６８を有している。
【００４１】
固定用表面６４と固体高分子膜５２との間には、シートパッキン７１が設けられている。シートパッキン７１は、ゴムに例示される弾性体から形成されている。シートパッキン７１は、厚さが均一であるシートであり、その厚さは、段差６５より厚い。シートパッキン７１の形状は固定用表面６４と相似であり、シートパッキン７１の大きさは固定用表面６４と同一またはやや小さい。シートパッキン７１は、固体高分子膜５２に接する膜側表面７２と、第２セパレータに接するセパレータ側表面７３とを有し、単位セル５１が組み立てられたときに、突起６７の近傍に配置される突起近傍部分７４とそれ以外の平面部分７５とから形成されている。
【００４２】
固体高分子膜５２は、単位セル５１が組み立てられたときに、燃料極５５と酸化剤極６０とに接合される電極部分７６、第１セパレータ５３とシートパッキン７１とに挟まれる固定部分７７および電極部分７６と固定部分７７との間に配置される部分７８から形成されている。
【００４３】
単位セル５１は、図４に示されているように、肉厚方向Ａに複数が重ねられて、本発明によるセルを形成している。単位セル５１が組み立てられたときに、シートパッキン７１は、固体高分子膜５２と第２セパレータ５４とに挟まれて弾性変形する。このとき、第１セパレータ５３の溝用表面５８と第２セパレータ５４の溝用表面６３との距離は、固体高分子膜５２、燃料極５５および酸化剤極６０の厚さの和になる。このように挟まれることにより、固体高分子膜５２の各部分７６，７７，７８は、第１セパレータ５３と第２セパレータ５４とに対して固定され、せん断されることが防止される。
【００４４】
単位セル５１が組み立てられたときに、さらに、シートパッキン７１の突起６７に接する領域には窪みが生じる。この窪みにより、突起近傍部分７４は大きな応力が加わり、固体高分子膜５２は第１セパレータ５３の突起対向部分６８とシートパッキン７１の突起近傍部分７４とに大きな圧力で挟まれる。このように固体高分子膜５２が挟まれることは、第１溝５７と外部とが強固に密閉され、第２溝６２と外部とが強固に密閉され、かつ、固体高分子膜５２が強固に固定される効果を奏する。
【００４５】
本発明によるセルは、第１溝５７に燃料ガスが流され、第２溝６２に酸化剤ガスが流されされることにより、燃料極５５と酸化剤極６０との間に起電力が生成される。このとき、第１溝５７と外部とが密閉され、第２溝６２と外部とが密閉されていることにより、セパレータの縁から水が漏洩することが防止される。
【００４６】
【発明の効果】
本発明によるセル、燃料電池および電気分解槽は、セル内に設けられた流路と外部との密閉性を向上させることができる。
【図面の簡単な説明】
【図１】図１は、本発明によるセルの実施の形態を示す断面図である。
【図２】図２は、本発明によるセルの組み立て方法を示す斜軸投影図である。
【図３】図３は、本発明によるセルの実施の他の形態を示す断面図である。
【図４】図４は、本発明によるセルの組み立て方法を示す斜軸投影図である。
【図５】図５は、公知の水電解セルの組み立て方法を示す斜軸投影図である。
【図６】図６は、公知の水電解セルの単位セルの実施の形態を示す断面図である。
【図７】図７は、公知の燃料電池セルの組み立て方法を示す斜軸投影図である。
【図８】図８は、公知の燃料電池セルの単位セルの実施の形態を示す断面図である。
【符号の説明】
１…単位セル
２…固体高分子膜
３…第１セパレータ
４…第２セパレータ
６…第１表面
７…第１溝
８…溝用表面
９…固定用表面
１１…第２表面
１２…第２溝
１３…溝用表面
１４…固定用表面
１５…段差
１６…段差面
１７…突起
１８…突起対向部分
２１…シートパッキン
２２…膜側表面
２３…セパレータ側表面
２４…突起近傍部分
２５…平面部分
２６…溝部分
２７…固定部分
２８…突起固定部分
【図１】
2004035945.tif 000003
【図２】
2004035945.tif 000004
【図３】
2004035945.tif 000005
【図４】
2004035945.tif 000006
【図５】
2004035945.tif 000007
【図６】
2004035945.tif 000008
【図７】
2004035945.tif 000009
【図８】
2004035945.tif 000010